(57)【特許請求の範囲】
【請求項１】
開口部及び前記開口部の上方に配置されたソケットを有する器具本体と、
前記器具本体の内部に配置され、前記ソケットに着脱自在に取り付けられる口金を有する照明部材と、
前記照明部材の外周部に前記照明部材に対して回動自在に取り付けられた回動リング部材と、
前記照明部材の外周部に固定され、前記口金と前記回動リング部材との間に配置された固定リング部材と、
前記器具本体の前記開口部の下方に配置された装飾部材と、
前記回動リング部材と前記装飾部材とを相互に連結し、前記装飾部材を前記回動リング部材から吊り下げる吊下部材と、を備える
照明器具。
【請求項２】
前記回動リング部材は、その開口縁部が前記固定リング部材の開口縁部と接触した状態で、前記照明部材に対して回動自在であり、
前記回動リング部材及び前記固定リング部材の一方の前記開口縁部には、周方向に延びる切欠部が形成されている
請求項１に記載の照明器具。
【請求項３】
前記回動リング部材は、
前記照明部材の外周部に前記照明部材に対して回動自在に取り付けられた樹脂製のリング本体と、
前記リング本体に取り付けられた金属製の取付部材と、を有し、
前記吊下部材は、前記取付部材と前記装飾部材とを相互に連結する
請求項１又は２に記載の照明器具。
【請求項４】
前記照明部材は、
前記口金に電気的に接続された光源と、
前記口金が一端部に配置された筐体と、
前記筐体の他端部に配置され、前記光源を覆う透光カバーと、を有するランプであり、
前記回動リング部材及び前記固定リング部材の各々は、前記筐体の外周部に配置されている
請求項１〜３のいずれか１項に記載の照明器具。
【請求項５】
前記照明部材は、前記光源の光軸が前記器具本体の中心軸に対して交差する姿勢で配置され、
前記回動リング部材は、
前記筐体の外周部に配置された第１のリング本体と、
前記第１のリング本体と接続され、前記透光カバーの外周部に配置された第２のリング本体と、を有し、
前記吊下部材は、前記第２のリング本体と前記装飾部材とを相互に連結し、
前記第２のリング本体は、前記器具本体の前記中心軸上に配置されている
請求項４に記載の照明器具。
【請求項６】
前記回動リング部材は、さらに、前記第１のリング本体から前記透光カバーの上側を覆うように延びる反射部を有し、
前記反射部には、前記光源からの光を前記器具本体の前記開口部に向けて反射する反射面が形成されている
請求項５に記載の照明器具。
【請求項７】
前記照明器具は、さらに、前記装飾部材に配置された光源を備え、
前記照明部材は、
前記口金が一端部に配置された筐体と、
前記筐体の内部に配置され、前記口金から供給された電力で前記光源を駆動する駆動回路と、を有する回路ボックスであり、
前記回動リング部材及び前記固定リング部材の各々は、前記筐体の外周部に配置されている
請求項１〜３のいずれか１項に記載の照明器具。
【請求項８】
前記吊下部材は、前記回動リング部材から前記装飾部材までの前記吊下部材の長さを調節可能に構成されている
請求項１〜７のいずれか１項に記載の照明器具。
【請求項９】
前記装飾部材は、
前記器具本体の前記開口部の周囲に配置された装飾リングと、
前記装飾リングに着脱自在に取り付けられ、前記器具本体の前記開口部を覆う透光性の装飾カバーと、を有する
請求項１〜８のいずれか１項に記載の照明器具。
【請求項１０】
前記装飾カバーは、前記装飾リングに対して所定方向に回動することにより、前記装飾リングに取り付けられ、
前記装飾部材は、さらに、
前記装飾カバーの外周部に前記装飾カバーに対して回動自在に取り付けられた支持パネルと、
前記支持パネルの回動範囲を規制する規制機構と、
前記支持パネルに支持され、前記装飾カバーの表面の少なくとも一部を覆うように配置された装飾パネルと、を有する
請求項９に記載の照明器具。
【請求項１１】
前記吊下部材は、前記回動リング部材に回動自在に連結されている
請求項１〜１０のいずれか１項に記載の照明器具。
【請求項１２】
開口部及び前記開口部の上方に配置されたソケットを有する器具本体に着脱自在に取り付けられる照明ユニットであって、
前記器具本体の内部に配置され、前記ソケットに着脱自在に取り付けられる口金を有する照明部材と、
前記照明部材の外周部に前記照明部材に対して回動自在に取り付けられた回動リング部材と、
前記照明部材の外周部に固定され、前記口金と前記回動リング部材との間に配置された固定リング部材と、
前記器具本体の前記開口部の下方に配置される装飾部材と、
前記回動リング部材と前記装飾部材とを相互に連結し、前記装飾部材を前記回動リング部材から吊り下げる吊下部材と、を備える
照明ユニット。
【発明の詳細な説明】
【技術分野】
【０００１】
本発明は、照明器具及びこれに用いられる照明ユニットに関する。
【背景技術】
【０００２】
天井に埋込配設されることにより、下方に光を照射する天井埋込型の照明器具（いわゆるダウンライト）が知られている。この種の照明器具は、天井に埋込配設された器具本体と、器具本体に着脱自在に取り付けられた電球型ランプとを備えている（例えば、特許文献１参照）。この種の照明器具は、例えば施工業者によって住宅等の建物の天井に設置される。
【先行技術文献】
【特許文献】
【０００３】
【特許文献１】特開２０１３−２２９１３８号公報
【発明の概要】
【発明が解決しようとする課題】
【０００４】
上述した照明器具を設置した後に、ユーザは、照明器具のデザインの変更を希望する場合がある。この場合、ユーザは、例えば施工業者に再度依頼して照明器具を交換してもらわなければならず、照明器具のデザインを容易に変更することができないという課題が生じる。
【０００５】
本発明は、このような課題に鑑みてなされたものであり、デザインを容易に変更することができる照明器具及び照明ユニットを提供することを目的とする。
【課題を解決するための手段】
【０００６】
上記課題を解決するために、本発明の一態様に係る照明器具は、開口部及び前記開口部の上方に配置されたソケットを有する器具本体と、前記器具本体の内部に配置され、前記ソケットに着脱自在に取り付けられる口金を有する照明部材と、前記照明部材の外周部に前記照明部材に対して回動自在に取り付けられた回動リング部材と、前記照明部材の外周部に固定され、前記口金と前記回動リング部材との間に配置された固定リング部材と、前記器具本体の前記開口部の下方に配置された装飾部材と、前記回動リング部材と前記装飾部材とを相互に連結し、前記装飾部材を前記回動リング部材から吊り下げる吊下部材と、を備える。
【０００７】
また、本発明の一態様に係る照明ユニットは、開口部及び前記開口部の上方に配置されたソケットを有する器具本体に着脱自在に取り付けられる照明ユニットであって、前記器具本体の内部に配置され、前記ソケットに着脱自在に取り付けられる口金を有する照明部材と、前記照明部材の外周部に前記照明部材に対して回動自在に取り付けられた回動リング部材と、前記照明部材の外周部に固定され、前記口金と前記回動リング部材との間に配置された固定リング部材と、前記器具本体の前記開口部の下方に配置される装飾部材と、前記回動リング部材と前記装飾部材とを相互に連結し、前記装飾部材を前記回動リング部材から吊り下げる吊下部材と、を備える。
【発明の効果】
【０００８】
本発明の一態様に係る照明器具等によれば、照明器具のデザインを容易に変更することができる。
【図面の簡単な説明】
【０００９】
【図１】実施の形態１に係る照明器具を示す斜視図である。
【図２】実施の形態１に係る照明器具を示す分解斜視図である。
【図３】実施の形態１に係る照明器具の断面図である。
【図４】実施の形態１に係る照明ユニットを器具本体に取り付ける前の状態で、照明器具を室内側から見上げた状態を示す斜視図である。
【図５】実施の形態１に係る照明ユニットを器具本体に取り付ける途中の状態を示す斜視図である。
【図６】実施の形態１に係る照明ユニットを器具本体に取り付ける途中の状態を示す斜視図である。
【図７】実施の形態１に係る照明ユニットを器具本体に取り付けた状態で、照明器具を室内側から見上げた状態を示す斜視図である。
【図８】実施の形態２に係る照明器具の回動リング部材を抜き出して示す斜視図である。
【図９】実施の形態３に係る照明器具を示す斜視図である。
【図１０Ａ】コイルバネを収納ケースから取り外した状態での、実施の形態３に係る収納ケースの裏面側を示す斜視図である。
【図１０Ｂ】コイルバネを収納ケースに収納した状態での、実施の形態３に係る収納ケースの裏面側を示す斜視図である。
【図１１Ａ】ワイヤーを収納ケースの第１の取出口から取り出した状態での、実施の形態３に係る照明ユニットを示す斜視図である。
【図１１Ｂ】ワイヤーを収納ケースの第１の取出口から取り出した状態での、実施の形態３に係る照明器具の断面図である。
【図１２Ａ】ワイヤーを収納ケースの第２の取出口から取り出した状態での、実施の形態３に係る照明ユニットを示す斜視図である。
【図１２Ｂ】ワイヤーを収納ケースの第２の取出口から取り出した状態での、実施の形態３に係る照明器具の断面図である。
【図１３】実施の形態３に係る装飾部材を抜き出して示す斜視図である。
【図１４】実施の形態３に係る装飾部材を示す分解斜視図である。
【図１５】実施の形態３に係る照明器具を室内側から見上げた状態を示す斜視図である。
【図１６】実施の形態４に係る照明器具を示す斜視図である。
【図１７】実施の形態４に係る照明ユニットを示す斜視図である。
【図１８】実施の形態５に係る照明器具を示す斜視図である。
【図１９】実施の形態５に係る照明ユニットを示す斜視図である。
【図２０】実施の形態６に係る照明器具を示す斜視図である。
【図２１】ランプを横置きの姿勢で配置した状態での、実施の形態７に係る照明器具を示す斜視図である。
【図２２】ランプを縦置きの姿勢で配置した状態での、実施の形態７に係る照明器具を示す斜視図である。
【図２３】実施の形態８に係る照明器具を示す斜視図である。
【図２４】実施の形態９に係る照明器具を示す斜視図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係る照明器具及び照明ユニットについて説明する。
【００１３】
［１−１．照明器具の全体構成］
図１〜図３を参照しながら、実施の形態１に係る照明器具２の全体構成について説明する。図１は、実施の形態１に係る照明器具２を示す斜視図である。図２は、実施の形態１に係る照明器具２を示す分解斜視図である。図３は、実施の形態１に係る照明器具２の断面図である。なお、説明の都合上、図１では、器具本体６の一部を切り欠いて図示してある。
【００１４】
実施の形態１に係る照明器具２は、例えば住宅等の建物における室内の天井４に埋込配設されることにより、下方（図１〜図３において下方）に光を照射する天井埋込型の照明器具（いわゆるダウンライト）である。
【００１５】
図１〜図３に示すように、照明器具２は、器具本体６と、器具本体６に着脱自在に取り付けられる照明ユニット８とを備えている。以下、照明器具２の各構成要素について詳細に説明する。
【００１６】
［１−２．器具本体］
まず、図１〜図３を参照しながら、器具本体６について説明する。図１〜図３に示すように、器具本体６は、上端部から下端部にかけて直径が漸増するラッパ状に形成されている。器具本体６は、例えばアルミニウム等の金属で一体に形成されている。本実施の形態では、器具本体６は、アルミダイカスト製である。
【００１７】
器具本体６の上端部にはソケット１０が配置されている。ソケット１０の内周面には雌ネジ１２が形成されている。ソケット１０は、照明器具２の外部に設置された商用電源等の外部電源（図示せず）とリード線（図示せず）を介して電気的に接続されている。外部電源からの交流電力（例えばＡＣ１００Ｖ）は、リード線を介してソケット１０に供給される。
【００１８】
器具本体６の下端部には、円形状の開口部１４が形成されている。すなわち、上述したソケット１０は、開口部１４の上方に配置されている。開口部１４の周縁部には、径方向外側に延びるリング状の鍔部１６が形成されている。
【００１９】
器具本体６の下端部近傍における外側面には、複数の取付バネ（図示せず）が取り付けられている。これらの複数の取付バネは、照明器具２を天井４に取り付けるためのものである。複数の取付バネの各々は、弾性復元力を有する金属板で形成されている。
【００２０】
図１及び図３に示すように、器具本体６が天井４に形成された円形状の貫通孔１８に下方より挿通された状態で、複数の取付バネの各々と鍔部１６との間に天井４を挟持することにより、照明器具２が天井４に埋込配設される。
【００２１】
［１−３．照明ユニット］
次に、図１〜図３を参照しながら、照明ユニット８について説明する。図１〜図３に示すように、照明ユニット８は、ランプ２０（照明部材の一例）、固定リング部材２２、回動リング部材２４、一対のワイヤー２６（吊下部材の一例）及び装飾部材２８を備えている。以下、照明ユニット８の各構成要素について詳細に説明する。
【００２２】
［１−３−１．ランプ］
図１〜図３を参照しながら、ランプ２０について説明する。図１〜図３に示すように、ランプ２０は、例えば電球型ＬＥＤ（Ｌｉｇｈｔ  Ｅｍｉｔｔｉｎｇ  Ｄｉｏｄｅ）ランプであり、器具本体６の内部に配置される。ランプ２０は、筐体３０、口金３２、回路ユニット３４（駆動回路の一例）、ＬＥＤモジュール３６（光源の一例）及びグローブ３８（透光カバーの一例）を有している。なお、図３に示すように、ランプ２０は、ＬＥＤモジュール３６の光軸Ｃ１が器具本体６の中心軸Ｃ２に対して略平行となる姿勢（すなわち、縦向きの姿勢）で配置されている。
【００２３】
筐体３０は、一端部から他端部にかけて直径が漸増するラッパ状に形成されている。筐体３０は、例えばポリブチレンテレフタレート（ＰＢＴ）等の樹脂で形成されている。
【００２４】
口金３２は、ＬＥＤモジュール３６を発光させるための交流電力を受電する受電部であり、筐体３０の一端部に配置されている。口金３２の外周面には雄ネジ４０が形成されており、これにより口金３２は、器具本体６のソケット１０に着脱自在にねじ込まれる。このように口金３２がソケット１０に取り付けられることにより、口金３２は、ＬＥＤモジュール３６を発光させるための交流電力をソケット１０から受電することができる。なお、口金３２は、例えばねじ込み型のエジソンタイプ（Ｅ型）の口金である。
【００２５】
回路ユニット３４は、ＬＥＤモジュール３６を駆動するためのものであり、図３に示すように筐体３０の内部に配置されている。回路ユニット３４は、口金３２から供給された交流電力を、整流、平滑及び降圧等することにより所定レベルの直流電力に変換し、当該直流電力をＬＥＤモジュール３６に供給する。
【００２６】
ＬＥＤモジュール３６は、筐体３０の内部に配置されており、筐体３０の内部において口金３２と電気的に接続されている。ＬＥＤモジュール３６は、基板４２と、基板４２に実装された複数のＬＥＤチップ４４と、複数のＬＥＤチップ４４を封止する封止部材（図示せず）とを有している。ＬＥＤモジュール３６の実装構造は、例えばＬＥＤチップ４４が基板４２上に直接実装されたＣＯＢ（Ｃｈｉｐ  Ｏｎ  Ｂｏａｒｄ）構造である。
【００２７】
基板４２は、例えばセラミック基板、樹脂基板又はメタルベース基板等である。基板４２上には、回路ユニット３４からの直流電力を受電するための電極端子（図示せず）と、複数のＬＥＤチップ４４を実装するための配線パターン（図示せず）とが形成されている。
【００２８】
複数のＬＥＤチップ４４の各々は、例えば青色光を発する青色ＬＥＤチップである。複数のＬＥＤチップ４４は、基板４２上に形成された配線パターンに実装されており、基板４２上にマトリクス状に配置されている。
【００２９】
封止部材は、例えば透光性を有する樹脂で形成されており、複数のＬＥＤチップ４４が発する青色光を黄色光に波長変換する蛍光体粒子を含んでいる。これにより、ＬＥＤモジュール３６は、複数のＬＥＤチップ４４が発する青色光と、蛍光体粒子によって波長変換された黄色光との合成光として白色光を発する。
【００３０】
グローブ３８は、ＬＥＤモジュール３６からの光をランプ２０の外部に取り出すためのものであり、透光性を有する材料（例えば、透明又は半透明のガラス等）で形成されている。グローブ３８は、半球状に形成され、ＬＥＤモジュール３６を覆うように筐体３０の他端部に配置されている。
【００３１】
［１−３−２．固定リング部材］
次に、図１〜図３を参照しながら、固定リング部材２２について説明する。固定リング部材２２は、回動リング部材２４がランプ２０に対して口金３２側に移動するのを規制するためのものである。
【００３２】
図１〜図３に示すように、固定リング部材２２は、例えば樹脂で形成され、リング状に形成されている。より具体的な形状としては、固定リング部材２２は、ランプ２０の筐体３０の形状に対応して、一端部から他端部にかけて直径が漸増するラッパ状に形成されている。固定リング部材２２は、口金３２と回動リング部材２４との間に配置されており、ランプ２０の筐体３０の外周部に例えば接着剤等で固定されている。
【００３３】
固定リング部材２２の他端部における開口縁部２２ａには、固定リング部材２２の周方向に延びる切欠部４６が複数形成されている。複数の切欠部４６は、固定リング部材２２の周方向に間隔を置いて配置されている。
【００３４】
［１−３−３．回動リング部材］
次に、図１〜図３を参照しながら、回動リング部材２４について説明する。回動リング部材２４は、ランプ２０の口金３２をソケット１０に取り付ける（又はソケット１０から取り外す）際に、装飾部材２８がランプ２０と伴回りするのを抑制するためのものである。
【００３５】
図１〜図３に示すように、回動リング部材２４は、例えば樹脂で形成され、リング状に形成されている。より具体的な形状としては、回動リング部材２４は、ランプ２０の筐体３０の形状に対応して、一端部から他端部にかけて直径が漸増するラッパ状に形成されている。回動リング部材２４は、ランプ２０の筐体３０の外周部に、ランプ２０に対して回動自在に取り付けられている。これにより、回動リング部材２４は、その一端部における開口縁部２４ａが固定リング部材２２の他端部における開口縁部２２ａと接触した状態で、ランプ２０に対して回動自在である。
【００３６】
なお、回動リング部材２４の他端部における直径は、ランプ２０の筐体３０の他端部における直径よりも小さいので、回動リング部材２４がランプ２０に対してグローブ３８側に移動するのが規制されている。また、上述したように、回動リング部材２４は、固定リング部材２２によってランプ２０に対して口金３２側に移動するのが規制されている。これにより、回動リング部材２４をランプ２０から取り外すことができないように構成されている。
【００３７】
回動リング部材２４の他端部における外周面には、一対の連結部４８が形成されている。一対の連結部４８は、回動リング部材２４の中心軸に対して略対称な位置に配置されている。一対の連結部４８の各々には、連結リング５０（後述する）を回動自在に挿通するための挿通孔５２が形成されている。
【００３８】
［１−３−４．ワイヤー］
次に、図１〜図３を参照しながら、一対のワイヤー２６について説明する。一対のワイヤー２６は、装飾部材２８を回動リング部材２４から吊り下げるための金属製のワイヤーである。
【００３９】
図１〜図３に示すように、一対のワイヤー２６の各々の上端部には、連結リング５０が接続されている。一対のワイヤー２６の各々の上端部は、この連結リング５０を介して回動リング部材２４の連結部４８に回動自在に連結されている。一対のワイヤー２６の各々の下端部は、装飾部材２８に配置されたコイルバネ６４（後述する）に接続されている。
【００４０】
これにより、一対のワイヤー２６は、回動リング部材２４と装飾部材２８とを相互に連結することによって、装飾部材２８を回動リング部材２４から吊り下げる。なお、図３に示すように、一対のワイヤー２６は、器具本体６の内側面に沿って、器具本体６の中心軸Ｃ２に対して傾斜するように配置される。
【００４１】
［１−３−５．装飾部材］
次に、図１〜図３を参照しながら、装飾部材２８について説明する。装飾部材２８は、器具本体６の開口部１４の下方に配置されることにより、器具本体６を室内側から装飾するためのものである。図１〜図３に示すように、装飾部材２８は、装飾リング５４及び装飾カバー５６を有している。
【００４２】
図１及び図２に示すように、装飾リング５４は、リング状に形成され、器具本体６の開口部１４の周囲に配置されている。装飾リング５４の下面（室内側の面）には、例えば木目等の模様（図示せず）が形成されている。
【００４３】
装飾リング５４の上面には、円弧状に延びる一対の収納ケース５８が着脱自在に取り付けられている。一対の収納ケース５８は、装飾リング５４の中心軸に対して略対称な位置に配置されている。収納ケース５８の一端部には取出口６０が形成され、収納ケース５８の他端部には固定部６２が形成されている。
【００４４】
一対の収納ケース５８の各々の内部には、コイルバネ６４が伸縮自在に配置されている。コイルバネ６４の一端部は、収納ケース５８の内部でワイヤー２６の下端部に連結されている。このとき、ワイヤー２６は、収納ケース５８の取出口６０から収納ケース５８の外部に取り出される。コイルバネ６４の他端部は、収納ケース５８の固定部６２に固定されている。これにより、一対のコイルバネ６４はそれぞれ、一対のワイヤー２６に引っ張られることによって収納ケース５８の内部で伸びるようになる。その結果、一対のワイヤー２６はそれぞれ、一対のコイルバネ６４によって、装飾部材２８が器具本体６の開口部１４に近付く方向に付勢される。
【００４５】
また、装飾リング５４の上面には、一対のボス６６が形成されている。一対のボス６６はそれぞれ、一対の収納ケース５８の各々の取出口６０の近傍に配置されている。さらに、装飾リング５４の上面における内周縁には、円筒状の壁部６８が形成されている。この壁部６８のボス６６に対向する部位には、鉤状の切欠部７０が形成されている。収納ケース５８の取出口６０から延びるワイヤー２６は、ボス６６の外周面に引っ掛けられ、且つ、壁部６８の切欠部７０に引っ掛けられている。
【００４６】
装飾カバー５６は、有底円筒状に形成され、透光性を有する材料（例えば、乳白色の樹脂等）で形成されている。装飾カバー５６は、装飾リング５４の壁部６８に着脱自在に取り付けられ、器具本体６の開口部１４を下方より覆っている。なお、装飾カバー５６を装飾リング５４に取り付ける際には、図１の矢印Ｐで示す方向に装飾カバー５６を装飾リング５４に対して回動させる。一方、装飾カバー５６を装飾リング５４から取り外す際には、図１の矢印Ｑで示す方向に装飾カバー５６を装飾リング５４に対して回動させる。例えば装飾カバー５６が乳白色の樹脂で形成されている場合には、装飾カバー５６は拡散カバーとして機能し、ランプ２０からの光を拡散させる。
【００４７】
装飾カバー５６の開口縁部には、矩形状の一対の切欠部７２が形成されている。図１に示すように、装飾カバー５６が装飾リング５４に取り付けられた状態で、一対の切欠部７２はそれぞれ、装飾リング５４の壁部６８に形成された一対の切欠部７０に対向するように配置される。これにより、壁部６８の切欠部７０に引っ掛けられたワイヤー２６が装飾カバー５６の切欠部７２に逃がされるので、ワイヤー２６が装飾カバー５６の開口縁部と干渉するのを抑制することができる。
【００４８】
［１−４．照明ユニットの取付手順］
次に、図４〜図７を参照しながら、照明ユニット８を器具本体６に取り付ける手順について説明する。図４は、実施の形態１に係る照明ユニット８を器具本体６に取り付ける前の状態で、照明器具２’を室内側から見上げた状態を示す斜視図である。図５及び図６は、実施の形態１に係る照明ユニット８を器具本体６に取り付ける途中の状態を示す斜視図である。図７は、実施の形態１に係る照明ユニット８を器具本体６に取り付けた状態で、照明器具２を室内側から見上げた状態を示す斜視図である。なお、説明の都合上、図５及び図６では、器具本体６の一部を切り欠いて図示してある。
【００４９】
図４に示すように、照明ユニット８を器具本体６に取り付ける前の状態では、天井４には、既存のダウンライトである照明器具２’が設置されている。器具本体６のソケット１０（図１参照）には、例えば既存の電球型ＬＥＤランプであるランプ７４が着脱自在に取り付けられている。また、器具本体６の鍔部１６が天井４の室内側の面に露出されるとともに、ランプ７４が器具本体６の開口部１４を通して露出されている。この照明器具２’のデザインを変更する場合には、以下の手順で照明ユニット８を器具本体６に取り付ければよい。
【００５０】
まず、図５に示すように、ランプ７４を器具本体６のソケット１０から取り外した後に、照明ユニット８のランプ２０を器具本体６のソケット１０に取り付ける。このとき、予め装飾カバー５６を装飾リング５４から取り外しておくことにより、ユーザは、装飾リング５４の開口部に手を挿入してランプ２０を手で掴むことができる。
【００５１】
図６に示すように、ランプ２０を器具本体６のソケット１０に取り付ける際には、図６の矢印Ｒで示す方向にランプ２０を器具本体６に対して回動させる。このとき、回動リング部材２４がランプ２０に対して回動する（すなわち、回動リング部材２４が器具本体６に対して静止している）ので、回動リング部材２４から吊り下げられた装飾部材２８がランプ２０と伴回りするのを抑制することができる。
【００５２】
ランプ２０が器具本体６のソケット１０に取り付けられた状態では、装飾リング５４は、回動リング部材２４から吊り下げられた状態で、器具本体６の開口部１４の周囲に配置される。このとき、器具本体６の開口部１４からソケット１０までの距離Ｄ（図３参照）に応じて、一対のコイルバネ６４がそれぞれ一対のワイヤー２６に引っ張られることにより伸びるようになる。これにより、一対のワイヤー２６はそれぞれ、一対のコイルバネ６４によって、装飾部材２８が器具本体６の開口部１４に近付く方向に付勢される。その結果、一対のワイヤー２６の各々の回動リング部材２４から装飾部材２８までの長さＬ（図３参照）を調節することができる。
【００５３】
また、一対のコイルバネ６４の付勢力によって、上述した図３に示すように、一対の収納ケース５８の各々が器具本体６の鍔部１６に接触するようになる。このとき、装飾リング５４は天井４に接触しない。
【００５４】
その後、図６に示すように、装飾カバー５６を装飾リング５４に取り付ける。これにより、図７に示すように、装飾リング５４が器具本体６の開口部１４の周囲に配置され、且つ、装飾カバー５６が器具本体６の開口部１４を覆うことにより、器具本体６が装飾部材２８により装飾される。以上のようにして、照明器具２のデザインを変更することができる。
【００５５】
［１−５．効果］
上述したように、実施の形態１に係る照明器具２は、開口部１４及び開口部１４の上方に配置されたソケット１０を有する器具本体６と、器具本体６の内部に配置され、ソケット１０に着脱自在に取り付けられる口金３２を有するランプ２０と、ランプ２０の外周部にランプ２０に対して回動自在に取り付けられた回動リング部材２４と、ランプ２０の外周部に固定され、口金３２と回動リング部材２４との間に配置された固定リング部材２２と、器具本体６の開口部１４の下方に配置された装飾部材２８と、回動リング部材２４と装飾部材２８とを相互に連結し、装飾部材２８を回動リング部材２４から吊り下げるワイヤー２６とを備える。
【００５６】
この構成によれば、装飾部材２８が回動リング部材２４から吊り下げられているので、ランプ２０を器具本体６に取り付けることにより、装飾部材２８が器具本体６の開口部１４の下方に配置され、器具本体６が装飾部材２８により装飾される。これにより、ランプ２０を器具本体６に取り付けるという比較的簡単な作業を行うことにより、照明器具２のデザインを容易に変更することができる。さらに、ランプ２０を器具本体６に取り付ける際に、回動リング部材２４がランプ２０に対して回動する（すなわち、回動リング部材２４が器具本体６に対して静止している）ので、回動リング部材２４から吊り下げられた装飾部材２８がランプ２０と伴回りするのを抑制することができる。
【００５７】
さらに、回動リング部材２４は、その開口縁部２４ａが固定リング部材２２の開口縁部２２ａと接触した状態で、ランプ２０に対して回動自在である。固定リング部材２２の開口縁部２２ａ（又は回動リング部材２４の開口縁部２４ａ）には、周方向に延びる切欠部４６が形成されている。
【００５８】
この構成によれば、固定リング部材２２の開口縁部２２ａ（又は回動リング部材２４の開口縁部２４ａ）には切欠部４６が形成されているので、固定リング部材２２の開口縁部２２ａと回動リング部材２４の開口縁部２４ａとの接触面積を小さく抑えることができる。これにより、回動リング部材２４がランプ２０に対して回動した際に、固定リング部材２２の開口縁部２２ａと回動リング部材２４の開口縁部２４ａとの間に生じる摩擦抵抗を小さく抑えることができるので、回動リング部材２４をスムーズに回動させることができる。
【００５９】
さらに、ランプ２０は、口金３２に電気的に接続されたＬＥＤモジュール３６と、口金３２が一端部に配置された筐体３０と、筐体３０の他端部に配置され、ＬＥＤモジュール３６を覆うグローブ３８とを有する。回動リング部材２４及び固定リング部材２２の各々は、筐体３０の外周部に配置されている。
【００６０】
この構成によれば、ランプ２０を器具本体６に取り付けることにより、照明器具２のデザインを容易に変更することができる。
【００６１】
さらに、ワイヤー２６は、回動リング部材２４から装飾部材２８までのワイヤー２６の長さＬを調節可能に構成されている。
【００６２】
この構成によれば、器具本体６の開口部１４からソケット１０までの距離Ｄに応じて、ワイヤー２６の長さＬを調節することができる。
【００６３】
さらに、装飾部材２８は、器具本体６の開口部１４の周囲に配置された装飾リング５４と、装飾リング５４に着脱自在に取り付けられ、器具本体６の開口部１４を覆う透光性の装飾カバー５６とを有する。
【００６４】
この構成によれば、装飾カバー５６の種類を例えば拡散タイプの装飾カバー又はシャンデリアタイプの装飾カバー等に交換することにより、照明器具２のデザインを容易に変更することができる。
【００６５】
また、実施の形態１に係る照明ユニット８は、開口部１４及び開口部１４の上方に配置されたソケット１０を有する器具本体６に着脱自在に取り付けられる照明ユニットである。照明ユニット８は、器具本体６の内部に配置され、ソケット１０に着脱自在に取り付けられる口金３２を有するランプ２０と、ランプ２０の外周部にランプ２０に対して回動自在に取り付けられた回動リング部材２４と、ランプ２０の外周部に固定され、口金３２と回動リング部材２４との間に配置された固定リング部材２２と、器具本体６の開口部１４の下方に配置される装飾部材２８と、回動リング部材２４と装飾部材２８とを相互に連結し、装飾部材２８を回動リング部材２４から吊り下げるワイヤー２６とを備える。
【００６６】
この構成によれば、装飾部材２８が回動リング部材２４から吊り下げられているので、ランプ２０を器具本体６に取り付けることにより、装飾部材２８が器具本体６の開口部１４の下方に配置され、器具本体６が装飾部材２８により装飾される。これにより、照明ユニット８を器具本体６に取り付けるという比較的簡単な作業を行うことにより、照明器具２のデザインを容易に変更することができる。さらに、照明ユニット８を器具本体６に取り付ける際に、回動リング部材２４がランプ２０に対して回動する（すなわち、回動リング部材２４が器具本体６に対して静止している）ので、回動リング部材２４から吊り下げられた装飾部材２８がランプ２０と伴回りするのを抑制することができる。
【００６７】
（実施の形態２）
［２−１．照明器具の構成］
次に、図８を参照しながら、実施の形態２に係る照明器具の構成について説明する。図８は、実施の形態２に係る照明器具の回動リング部材２４Ａを抜き出して示す斜視図である。なお、以下の各実施の形態において、実施の形態１と同一の構成要素には同一の符号を付して、その説明を省略する。
【００６８】
実施の形態２に係る照明器具では、回動リング部材２４Ａの構成が実施の形態１と異なっている。具体的には、図８の（ａ）に示すように、回動リング部材２４Ａは、リング本体７６及び一対の取付部材７８を有している。
【００６９】
リング本体７６は、例えば樹脂で形成され、リング状に形成されている。より具体的な形状としては、リング本体７６は、ランプ２０（図１参照）の筐体３０の形状に対応して、一端部から他端部にかけて直径が漸増するラッパ状に形成されている。リング本体７６は、ランプ２０の筐体３０の外周部に、ランプ２０に対して回動自在に取り付けられる。また、図８の（ｂ）に示すように、リング本体７６には、リング本体７６の一端部から他端部にかけて延びる一対の凹部８０が形成されている。これらの一対の凹部８０は、リング本体７６の中心軸に対して略対称な位置に配置されている。
【００７０】
一対の取付部材７８の各々は、例えば金属で形成されており、リング本体７６の凹部８０に取り付けられている。一対の取付部材７８の各々の一端部には第１のフック部８２が形成され、一対の取付部材７８の各々の他端部には第２のフック部８４が形成されている。第１のフック部８２は、リング本体７６の凹部８０に上方から引っ掛けられている。第２のフック部８４は、リング本体７６の他端部における外周面に配置されている。第２のフック部８４には連結リング５０が回動自在に取り付けられている。これにより、一対のワイヤー２６はそれぞれ、一対の取付部材７８と装飾部材２８（図１参照）とを相互に連結するようになる。
【００７１】
［２−２．効果］
以上説明したように、実施の形態２に係る照明器具では、回動リング部材２４Ａは、ランプ２０の外周部にランプ２０に対して回動自在に取り付けられた樹脂製のリング本体７６と、リング本体７６に取り付けられた金属製の取付部材７８とを有している。ワイヤー２６は、取付部材７８と装飾部材２８とを相互に連結する。
【００７２】
この構成によれば、ワイヤー２６は金属製の取付部材７８に連結されるので、ワイヤー２６と取付部材７８との連結強度を高めることができる。
【００７３】
（実施の形態３）
［３−１．照明器具の構成］
次に、図９〜図１５を参照しながら、実施の形態３に係る照明器具２Ｂ及び照明ユニット８Ｂの各構成について説明する。実施の形態３に係る照明器具２Ｂでは、収納ケース５８Ｂ及び装飾部材２８Ｂの各構成が実施の形態１と異なっている。以下、実施の形態３と実施の形態１との相違点について説明する。
【００７４】
［３−１−１．収納ケース］
まず、図９〜図１２Ｂを参照しながら、収納ケース５８Ｂについて説明する。図９は、実施の形態３に係る照明器具２Ｂを示す斜視図である。図１０Ａは、コイルバネ６４を収納ケース５８Ｂから取り外した状態での、実施の形態３に係る収納ケース５８Ｂの裏面側を示す斜視図である。図１０Ｂは、コイルバネ６４を収納ケース５８Ｂに収納した状態での、実施の形態３に係る収納ケース５８Ｂの裏面側を示す斜視図である。図１１Ａは、ワイヤー２６を収納ケース５８Ｂの第１の取出口８８から取り出した状態での、実施の形態３に係る照明ユニット８Ｂを示す斜視図である。図１１Ｂは、ワイヤー２６を収納ケース５８Ｂの第１の取出口８８から取り出した状態での、実施の形態３に係る照明器具２Ｂの断面図である。図１２Ａは、ワイヤー２６を収納ケース５８Ｂの第２の取出口９０から取り出した状態での、実施の形態３に係る照明ユニット８Ｂを示す斜視図である。図１２Ｂは、ワイヤー２６を収納ケース５８Ｂの第２の取出口９０から取り出した状態での、実施の形態３に係る照明器具２Ｂの断面図である。なお、説明の都合上、図９では、器具本体６の一部を切り欠いて図示してある。
【００７５】
図９〜図１０Ｂに示すように、収納ケース５８Ｂの一端部には、略台形状の枠状の取出部８６が形成されている。この取出部８６の先端部には、クランク形状の第１の取出口８８及び第２の取出口９０が形成されている。第１の取出口８８及び第２の取出口９０は、コイルバネ６４の伸縮方向に並んで配置されている。具体的には、第１の取出口８８は、収納ケース５８Ｂの他端部に近い側に配置され、第２の取出口９０は、収納ケース５８Ｂの他端部から遠い側に配置されている。また、図１０Ａ及び図１０Ｂに示すように、取出部８６の内部には、第１のボス９２及び第２のボス９４が形成されている。第１のボス９２及び第２のボス９４はそれぞれ、第１の取出口８８及び第２の取出口９０に対向する位置に配置されている。
【００７６】
図１１Ａに示す状態では、一対のワイヤー２６の各々は、取出部８６の内部で第１のボス９２に引っ掛けられ、且つ、第１の取出口８８から取り出される。この状態では、一対のワイヤー２６の各々の取出部８６の内部に収納された部分の長さが比較的短くなるので、図１１Ｂに示すように、一対のワイヤー２６の各々の回動リング部材２４から装飾部材２８Ｂまでの長さＬ１が比較的長くなる。そのため、図１１Ｂに示すように、器具本体６の開口部１４からソケット１０までの距離Ｄ１が比較的長い場合には、一対のワイヤー２６の各々を第１の取出口８８から取り出すことにより、一対のワイヤー２６の各々の回動リング部材２４から装飾部材２８Ｂまでの長さＬ１を距離Ｄ１に応じた長さに調節することができる。
【００７７】
一方、図１２Ａに示す状態では、一対のワイヤー２６の各々は、取出部８６の内部で第２のボス９４に引っ掛けられ、且つ、第２の取出口９０から取り出される。この状態では、一対のワイヤー２６の各々の取出部８６の内部に収納された部分の長さが比較的長くなるので、図１２Ｂに示すように、一対のワイヤー２６の各々の回動リング部材２４から装飾部材２８Ｂまでの長さＬ２（＜Ｌ１）が比較的短くなる。そのため、図１２Ｂに示すように、器具本体６Ｂの開口部１４からソケット１０までの距離Ｄ２（＜Ｄ１）が比較的短い場合には、一対のワイヤー２６の各々を第２の取出口９０から取り出すことにより、一対のワイヤー２６の各々の回動リング部材２４から装飾部材２８Ｂまでの長さＬ２を距離Ｄ２に応じた長さに調節することができる。
【００７８】
なお、図９に示すように、一対の取出部８６の各々の先端部は、装飾リング５４Ｂの壁部６８Ｂよりも装飾リング５４Ｂの径方向内側（すなわち、器具本体６の開口部１４の周縁部よりも開口部１４の径方向内側）に突出している。これにより、第１の取出口８８及び第２の取出口９０の各々が装飾リング５４Ｂの壁部６８Ｂよりも装飾リング５４Ｂの径方向内側に配置されるので、一対のワイヤー２６が器具本体６の内側面に接触するのを抑制することができる。また、図９に示すように、装飾カバー５６Ｂの開口縁部には、一対の取出部８６をそれぞれ逃がすための一対の切欠部９５が形成されている。なお、一対の取出部８６の各々は枠状に形成されているので、ランプ２０からの光の一部は、一対の取出部８６の各々の開口部を通過して下方に照射されるようになる。
【００７９】
［３−１−２．装飾部材］
次に、図１３〜図１５を参照しながら、装飾部材２８Ｂについて説明する。図１３は、実施の形態３に係る装飾部材２８Ｂを抜き出して示す斜視図である。図１４は、実施の形態３に係る装飾部材２８Ｂを示す分解斜視図である。図１５は、実施の形態３に係る照明器具２Ｂを室内側から見上げた状態を示す斜視図である。なお、説明の都合上、上述した図９〜図１２Ｂ並びに以下の実施の形態４，５及び６では、支持パネル１００及び装飾パネル１０２の図示を省略してある。
【００８０】
図１３及び図１４に示すように、装飾部材２８Ｂの装飾カバー５６Ｂには、一対の貫通孔９６が形成されている。これらの一対の貫通孔９６は、装飾カバー５６Ｂの中心軸に対して略対称な位置に配置されている。一対の貫通孔９６の各々には、ピン９８（規制機構の一例）が装飾カバー５６Ｂの内周面側から挿入されている。一対のピン９８の各々の先端部は、装飾カバー５６Ｂの外周面から径方向外側に突出している。
【００８１】
なお、上述した図９に示すように、装飾リング５４Ｂの壁部６８Ｂは、断面Ｌ字状に形成されている。また、装飾リング５４Ｂの壁部６８Ｂには、装飾カバー５６Ｂの一対の切欠部９５に対応して、一対の取出部８６をそれぞれ逃がすための一対の切欠部（図示せず）が形成されている。
【００８２】
さらに、図１３及び図１４に示すように、装飾部材２８Ｂは、装飾リング５４Ｂ及び装飾カバー５６Ｂに加えて、支持パネル１００及び装飾パネル１０２を有している。
【００８３】
支持パネル１００は、リング状に形成されている。支持パネル１００の上面における内周縁には、断面Ｌ字状の壁部１０４が形成されている。この壁部１０４には、複数の切欠部１０６が形成されている。複数の切欠部１０６は、支持パネル１００の周方向に間隔を置いて配置されている。また、壁部１０４の内周面には、突起１０８（規制機構の一例）が形成されている。上述したピン９８の先端部が壁部１０４の内周面に引っ掛かることにより、支持パネル１００が装飾カバー５６Ｂの外周面（外周部）に装飾カバー５６Ｂに対して回動自在に取り付けられる。
【００８４】
装飾パネル１０２は、円板状に形成され、例えば図形等をかたどった開口部１１０が形成されている。また、装飾パネル１０２の上面には、複数のフック部１１２が形成されている。複数のフック部１１２は、壁部１０４の複数の切欠部１０６に対応して、装飾パネル１０２の周方向に間隔を置いて配置されている。複数のフック部１１２の各々の内面には、凹状の溝部１１４が形成されている。複数のフック部１１２がそれぞれ複数の切欠部１０６に引っ掛かることにより、装飾パネル１０２が支持パネル１００に着脱自在に取り付けられる。これにより、装飾パネル１０２は、装飾カバー５６Ｂを下方から覆うように配置されるようになる。
【００８５】
このとき、複数のフック部１１２の各々の溝部１１４は、壁部１０４の内周面と同一曲面上に配置される。そのため、支持パネル１００を装飾カバー５６Ｂに対して回動させた際に、一対のピン９８の各々の先端部は、壁部１０４の内周面及び一対の溝部１１４に沿ってスライドするようになる。なお、支持パネル１００を装飾カバー５６Ｂに対して回動させた際に、ピン９８の先端部が突起１０８に接触することにより、支持パネル１００の装飾カバー５６Ｂに対する回動範囲が３６０°以下に規制される。
【００８６】
図１５に示すように、装飾カバー５６Ｂを装飾リング５４Ｂに取り付けることにより、装飾パネル１０２の開口部１１０が装飾カバー５６Ｂの下方に配置され、器具本体６が装飾パネル１０２により装飾される。装飾カバー５６Ｂからの光は、装飾パネル１０２の開口部１１０を通して下方に照射される。装飾カバー５６Ｂを装飾リング５４Ｂに取り付ける際には、ピン９８の先端部が突起１０８に接触した状態で、装飾カバー５６を装飾リング５４に対して図１５中の矢印Ｐで示す方向に回動させる。これにより、装飾カバー５６Ｂが支持パネル１００及び装飾パネル１０２と一体となって回動するようになる。
【００８７】
装飾カバー５６Ｂを装飾リング５４Ｂに取り付けた後に、装飾パネル１０２の開口部１１０の向きを調節したい場合には、装飾パネル１０２を手で掴んで装飾カバー５６Ｂに対して図１５中の矢印Ｑで示す方向に回動させればよい。
【００８８】
なお、本実施の形態では、装飾パネル１０２に開口部１１０を形成したが、これに限定されず、例えば装飾パネル１０２の下面に木目等の模様を形成してもよい。
【００８９】
［３−２．効果］
以上説明したように、実施の形態３に係る照明器具２Ｂでは、装飾カバー５６Ｂは、装飾リング５４Ｂに対して所定方向に回動することにより、装飾リング５４Ｂに取り付けられる。装飾部材２８Ｂは、さらに、装飾カバー５６Ｂの外周部に装飾カバー５６Ｂに対して回動自在に取り付けられた支持パネル１００と、支持パネル１００の回動範囲を規制するピン９８及び突起１０８と、支持パネル１００に支持され、装飾カバー５６Ｂの表面の少なくとも一部を覆うように配置された装飾パネル１０２とを有する。
【００９０】
この構成によれば、器具本体６を装飾パネル１０２により装飾することができる。また、支持パネル１００を装飾カバー５６Ｂに対して回動させることにより、装飾パネル１０２の向きを調節することができる。さらに、支持パネル１００の回動範囲がピン９８及び突起１０８によって規制されるので、装飾カバー５６Ｂを装飾リング５４に取り付ける際に、支持パネル１００が空回りするのを抑制することができる。
【００９１】
（実施の形態４）
［４−１．照明器具の構成］
次に、図１６及び図１７を参照しながら、実施の形態４に係る照明器具２Ｃ及び照明ユニット８Ｃの各構成について説明する。図１６は、実施の形態４に係る照明器具２Ｃを示す斜視図である。図１７は、実施の形態４に係る照明ユニット８Ｃを示す斜視図である。
【００９２】
実施の形態４に係る照明器具２Ｃでは、器具本体６Ｃ、ランプ２０Ｃ及び回動リング部材２４Ｃの各構成が実施の形態１と異なっている。
【００９３】
図１６に示すように、ソケット１０Ｃは、器具本体６Ｃの外側面から径方向外側に突出するように配置されている。これにより、ランプ２０Ｃは、ＬＥＤモジュール３６（図３参照）の光軸Ｃ１が器具本体６Ｃの中心軸Ｃ２に対して略垂直となる姿勢（すなわち、横向きの姿勢）で配置される。このとき、ランプ２０Ｃのグローブ３８Ｃは、器具本体６Ｃの中心軸Ｃ２上に配置されるようになる。
【００９４】
なお、ランプ２０Ｃのグローブ３８Ｃの形状が実施の形態１と異なっており、図１７に示すように、グローブ３８Ｃは有底円筒状に形成されている。
【００９５】
さらに、図１７に示すように、回動リング部材２４Ｃは、第１のリング本体１１６、第２のリング本体１１８及び複数の接続部１２０を有している。なお、これらの第１のリング本体１１６、第２のリング本体１１８及び複数の接続部１２０は、例えば樹脂で一体に形成されている。
【００９６】
第１のリング本体１１６は、リング状に形成されている。より具体的な形状としては、第１のリング本体１１６は、ランプ２０Ｃの筐体３０の形状に対応して、一端部から他端部にかけて直径が漸増するラッパ状に形成されている。第１のリング本体１１６は、ランプ２０Ｃの筐体３０の外周部に、ランプ２０Ｃに対して回動自在に取り付けられている。
【００９７】
第２のリング本体１１８は、リング状に形成され、複数の接続部１２０を介して第１のリング本体１１６の他端部における開口縁部と接続されている。第２のリング本体１１８は、グローブ３８Ｃの外周部に、ランプ２０Ｃに対して回動自在に配置されている。また、第２のリング本体１１８は、器具本体６Ｃの中心軸Ｃ２上に配置されている。
【００９８】
第２のリング本体１１８には、一対の連結部４８Ｃが形成されている。一対の連結部４８Ｃは、第２のリング本体１１８の中心軸に対して略対称な位置に配置されている。一対の連結部４８Ｃの各々には、連結リング５０を回動自在に挿通するための挿通孔５２が形成されている。このように連結リング５０が連結部４８Ｃに対して回動自在であるので、ランプ２０Ｃが横向きの姿勢及び縦向きの姿勢のいずれの姿勢で配置されている場合であっても、装飾部材２８Ｂを回動リング部材２４Ｃから吊り下げることができる。
【００９９】
［４−２．効果］
以上説明したように、実施の形態４に係る照明器具２Ｃでは、ランプ２０Ｃは、ＬＥＤモジュール３６の光軸Ｃ１が器具本体６Ｃの中心軸Ｃ２に対して交差する姿勢で配置されている。回動リング部材２４Ｃは、筐体３０の外周部に配置された第１のリング本体１１６と、第１のリング本体１１６と接続され、グローブ３８Ｃの外周部に配置された第２のリング本体１１８とを有している。ワイヤー２６は、第２のリング本体１１８と装飾部材２８Ｂとを相互に連結する。第２のリング本体１１８は、器具本体６Ｃの中心軸Ｃ２上に配置されている。
【０１００】
この構成によれば、第２のリング本体１１８が器具本体６Ｃの中心軸Ｃ２上に配置されているので、一対のワイヤー２６を器具本体６Ｃの中心軸Ｃ２に対して略対称な位置に配置することができる。その結果、装飾部材２８Ｂを回動リング部材２４Ｃから安定して吊り下げることができる。
【０１０１】
さらに、ワイヤー２６は、回動リング部材２４Ｃに回動自在に連結されている。
【０１０２】
この構成によれば、ランプ２０Ｃが横向きの姿勢及び縦向きの姿勢のいずれの姿勢で配置されている場合であっても、装飾部材２８を回動リング部材２４Ｃから吊り下げることができる。
【０１０３】
（実施の形態５）
［５−１．照明器具の構成］
次に、図１８及び図１９を参照しながら、実施の形態５に係る照明器具２Ｄ及び照明ユニット８Ｄの各構成について説明する。図１８は、実施の形態５に係る照明器具２Ｄを示す斜視図である。図１９は、実施の形態５に係る照明ユニット８Ｄを示す斜視図である。
【０１０４】
実施の形態５に係る照明器具２Ｄでは、回動リング部材２４Ｄの構成が実施の形態４と異なっている。図１８及び図１９に示すように、回動リング部材２４Ｄは、第１のリング本体１１６、第２のリング本体１１８Ｄ及び複数の接続部１２０に加えて、反射部１２２を有している。なお、これらの第１のリング本体１１６、第２のリング本体１１８Ｄ、複数の接続部１２０及び反射部１２２は、例えば樹脂で一体に形成されている。
【０１０５】
反射部１２２は、半円筒状に形成され、第１のリング本体１１６の下端部における開口縁部からグローブ３８Ｃの上側を覆うように延びている。反射部１２２の内面（グローブ３８Ｃに対向する面）には、ＬＥＤモジュール３６（図３参照）からの光を器具本体６Ｃの開口部１４に向けて反射する反射面１２４が形成されている。なお、反射面１２４の形成方法は、特に限定されない。例えば、回動リング部材２４Ｄの全体を白色の樹脂で形成することにより反射面１２４を形成してもよく、あるいは、反射部１２２の内面に反射膜を形成することにより反射面１２４を形成してもよい。
【０１０６】
なお、図１９に示すように、第２のリング本体１１８Ｄは、半円形状に形成されており、反射部１２２の周方向における両端部に接続されている。
【０１０７】
［５−２．効果］
以上説明したように、実施の形態５に係る照明器具２Ｄでは、回動リング部材２４Ｃは、第１のリング本体１１６からグローブ３８Ｃの上側を覆うように延びる反射部１２２を有している。反射部１２２には、ＬＥＤモジュール３６からの光を器具本体６Ｃの開口部１４に向けて反射する反射面１２４が形成されている。
【０１０８】
この構成によれば、ランプ２０Ｃからの光の利用効率を高めることができる。
【０１０９】
（実施の形態６）
［６−１．照明器具の構成］
次に、図２０を参照しながら、実施の形態６に係る照明器具２Ｅ及び照明ユニット８Ｅの各構成について説明する。図２０は、実施の形態６に係る照明器具２Ｅを示す斜視図である。なお、説明の都合上、図２０では、器具本体６の一部を切り欠いて図示してある。
【０１１０】
実施の形態６に係る照明器具２Ｅでは、装飾部材２８ＢにＬＥＤモジュール１２６（光源の一例）が配置されている点と、器具本体６のソケット１０に回路ボックス１２８が着脱自在に取り付けられている点とが実施の形態２と異なっている。
【０１１１】
図２０に示すように、ＬＥＤモジュール１２６は、円板状の基板１３０と、基板１３０に実装された複数のＬＥＤチップ１３２と、複数のＬＥＤチップ１３２を封止する封止部材（図示せず）とを有している。基板１３０は、複数のＬＥＤ１３２が下方を向くようにして装飾カバー５６Ｂの内部に配置されている。ＬＥＤモジュール１２６の実装構造は、例えばＬＥＤチップ１３２が基板１３０上に直接実装されたＣＯＢ構造である。なお、基板１３０の形状は円板状に限定されず、例えばリング状であってもよい。
【０１１２】
また、図２０に示すように、回路ボックス１２８は、筐体１３４、口金１３６及び回路ユニット１３８（駆動回路の一例）を有している。
【０１１３】
筐体１３４は、一端部から他端部にかけて直径が漸増するラッパ状に形成されている。この筐体１３４の外周部には、固定リング部材２２及び回動リング部材２４が配置されている。
【０１１４】
口金１３６は、ＬＥＤモジュール１２６を発光させるための交流電力を受電する受電部であり、筐体１３４の一端部に配置されている。口金１３６は、器具本体６のソケット１０に着脱自在にねじ込まれる。
【０１１５】
回路ユニット１３８は、ＬＥＤモジュール３６を駆動するためのものであり、筐体１３４の内部に配置されている。回路ユニット１３８は、筐体１３４の内部で口金１３６と電気的に接続されている。また、回路ユニット１３８は、リード線１３７を介してＬＥＤモジュール１２６の基板１３０と電気的に接続されている。回路ユニット１３８は、口金１３６から供給された交流電力を、整流、平滑及び降圧等することにより所定レベルの直流電力に変換し、当該直流電力をリード線を介してＬＥＤモジュール１２６に供給する。
【０１１６】
なお、本実施の形態では、回路ユニット１３８を筐体１３４の内部に配置したが、これに限定されず、例えばＬＥＤモジュール１２６の基板１３０上に配置してもよい。
【０１１７】
［６−２．効果］
以上説明したように、実施の形態６に係る照明器具２Ｅでは、照明器具２Ｅは、装飾部材２８Ｂに配置されたＬＥＤモジュール１２６を備える。回路ボックス１２８は、口金１３６が一端部に配置された筐体１３４と、筐体１３４の内部に配置され、口金１３６から供給された電力でＬＥＤモジュール１２６を駆動する回路ユニット１３８とを有する。回動リング部材２４及び固定リング部材２２の各々は、筐体１３４の外周部に配置されている。
【０１１８】
この構成によれば、ＬＥＤモジュール１２６が装飾部材２８Ｂに配置されるので、照明器具２Ｅのデザインのバリエーションを高めることができる。
【０１１９】
（実施の形態７）
［７−１．照明器具の構成］
次に、図２１及び図２２を参照しながら、実施の形態７に係る照明器具２Ｆ，２Ｆ’及び照明ユニット８Ｆの各構成について説明する。図２１は、ランプ２０を横置きの姿勢で配置した状態での、実施の形態７に係る照明器具２Ｆを示す斜視図である。図２２は、ランプ２０を縦置きの姿勢で配置した状態での、実施の形態７に係る照明器具２Ｆ’を示す斜視図である。なお、説明の都合上、図２１及び図２２ではそれぞれ、器具本体６Ｆ，６Ｆ’の一部を切り欠いて図示してある。
【０１２０】
実施の形態７に係る照明器具２Ｆでは、ランプ２０が横向きの姿勢で器具本体６Ｆに取り付けられている点と、装飾部材２８Ｆが一対の吊下げバンド１４０（吊下部材の一例）を介して回動リング部材２４Ｆから吊り下げられている点とが実施の形態１と異なっている。
【０１２１】
図２１に示すように、ソケット１０Ｆは、器具本体６Ｆの外側面から径方向外側に突出するように配置されている。これにより、ランプ２０は、ＬＥＤモジュール３６（図３参照）の光軸Ｃ１が器具本体６Ｆの中心軸Ｃ２に対して傾斜した姿勢（すなわち、横向きの姿勢）で配置される。このとき、ランプ２０のグローブ３８は、器具本体６Ｆの中心軸Ｃ２上に配置されるようになる。
【０１２２】
また、図２１に示すように、一対の吊下げバンド１４０の各々は、例えばシリコン等の伸縮性を有する樹脂で形成されている。一対の吊下げバンド１４０の各々の一端部には、長さ調節用の孔１４２が複数形成されている。また、一対の吊下げバンド１４０の各々の他端部にも同様に、長さ調節用の孔１４４が複数形成されている。
【０１２３】
一対の吊下げバンド１４０に関連して、回動リング部材２４Ｆの外周面には、一対の連結部４８Ｆが形成されている。一対の連結部４８Ｆは、回動リング部材２４Ｆの中心軸に対して略対称な位置に配置されている。一対の連結部４８Ｆの各々には、吊下げバンド１４０の孔１４２に回動自在且つ着脱自在に挿入された突起１４６が形成されている。また、回動リング部材２４Ｆは、器具本体６Ｆの中心軸Ｃ２上に配置されている。なお、回動リング部材２４Ｆの上面には、実施の形態１及び３等で説明した収納ケース５８，５８Ｂは配置されていない。
【０１２４】
さらに、一対の吊下げバンド１４０に関連して、装飾部材２８Ｆの装飾リング５４Ｆの内周縁には、径方向内側に突出する一対のフック部１４８が形成されている。これらの一対のフック部１４８の各々は、吊下げバンド１４０の孔１４４に着脱自在に挿入されている。
【０１２５】
器具本体６Ｆの開口部１４からソケット１０Ｆまでの距離に応じて、突起１４６を挿入する孔１４２の位置（又はフック部１４８を挿入する孔１４４の位置）を適宜変えることによって、回動リング部材２４Ｆから装飾部材２８Ｆまでの吊下げバンド１４０の長さを調節することができる。
【０１２６】
なお、上述したように、一対の吊下げバンド１４０の各々は回動リング部材２４Ｆに回動自在に連結されているので、図２２に示すように、ランプ２０を縦向きの姿勢で配置することもできる。図２２に示す照明器具２Ｆ’では、ソケット１０Ｆ’が器具本体６Ｆ’の上端部に配置されている。このように、ランプ２０が横向きの姿勢及び縦向きの姿勢のいずれの姿勢で配置されている場合であっても、装飾部材２８Ｆを回動リング部材２４Ｆから吊り下げることができる。
【０１２７】
［７−２．効果］
以上説明したように、実施の形態７に係る照明器具２Ｆでは、吊下げバンド１４０は、回動リング部材２４Ｆから装飾部材２８Ｆまでの吊下げバンド１４０の長さを調節可能に構成されている。
【０１２８】
この構成によれば、器具本体６Ｆ（６Ｆ’）の開口部１４からソケット１０Ｆ（１０Ｆ’）までの距離に応じて、吊下げバンド１４０の長さを調節することができる。
【０１２９】
（実施の形態８）
［８−１．照明器具の構成］
次に、図２３を参照しながら、実施の形態８に係る照明器具２Ｇ及び照明ユニット８Ｇの構成について説明する。図２３は、実施の形態８に係る照明器具２Ｇを示す斜視図である。なお、説明の都合上、図２３では、器具本体６Ｆの一部を切り欠いて図示してある。
【０１３０】
実施の形態８に係る照明器具２Ｇでは、装飾部材２８Ｇが一対のボールチェーン１５０（吊下部材の一例）を介して回動リング部材２４Ｇから吊り下げられている点が実施の形態７と異なっている。
【０１３１】
図２３に示すように、一対のボールチェーン１５０の各々の一端部は、連結金具１５２を介して回動リング部材２４Ｇの連結部４８Ｇに回動自在に連結されている。なお、一対のボールチェーン１５０の各々は、例えば樹脂又は金属で形成されている。
【０１３２】
装飾部材２８Ｇの装飾リング５４Ｇの内周縁には、径方向内側に突出する一対のフック部１５４が形成されている。一対のフック部１５４は、装飾リング５４Ｇの中心軸に対して略対称な位置に配置されている。このフック部１５４には、ボールチェーン１５０の他端部が着脱自在に引っ掛けられている。
【０１３３】
器具本体６Ｆの開口部１４からソケット１０Ｆまでの距離に応じて、フック部１５４に引っ掛けるボールチェーン１５０の位置を適宜調節することにより、回動リング部材２４Ｇから装飾部材２８Ｇまでのボールチェーン１５０の長さを調節することができる。
【０１３４】
なお、実施の形態７と同様に、一対のボールチェーン１５０の各々の一端部は回動リング部材２４Ｇに回動自在に連結されているので、ランプ２０が横向きの姿勢及び縦向きの姿勢のいずれの姿勢で配置されている場合であっても、装飾部材２８Ｇを回動リング部材２４Ｇから吊り下げることができる。
【０１３５】
［８−２．効果］
以上説明したように、実施の形態８に係る照明器具２Ｇでは、ボールチェーン１５０は、回動リング部材２４Ｇから装飾部材２８Ｇまでのボールチェーン１５０の長さを調節可能に構成されている。
【０１３６】
この構成によれば、器具本体６Ｆの開口部１４からソケット１０Ｆまでの距離に応じて、ボールチェーン１５０の長さを調節することができる。
【０１３７】
（実施の形態９）
［９−１．照明器具の構成］
次に、図２４を参照しながら、実施の形態９に係る照明器具２Ｈ及び照明ユニット８Ｈの構成について説明する。図２４は、実施の形態９に係る照明器具２Ｈを示す斜視図である。なお、説明の都合上、図２４では、器具本体６Ｆの一部を切り欠いて図示してある。
【０１３８】
実施の形態９に係る照明器具２Ｈでは、装飾部材２８Ｈが板バネ１５６（吊下部材の一例）及び吊下げバー１５８（吊下部材の一例）を介して回動リング部材２４Ｈから吊り下げられている点が実施の形態７と異なっている。
【０１３９】
図２４に示すように、板バネ１５６は、長尺状に形成され、弾性復元力を有する金属又は樹脂で形成されている。板バネ１５６の長手方向における両端部にはそれぞれ、一対の孔１６０が形成されている。
【０１４０】
装飾部材２８Ｈの装飾リング５４Ｈの内周縁には、径方向内側に突出する一対のフック部１６２が形成されている。一対のフック部１６２は、装飾リング５４Ｈの中心軸に対して略対称な位置に配置されている。一対のフック部１６２はそれぞれ、板バネ１５６の両端部に形成された一対の孔１６０に着脱自在に引っ掛けられている。これにより、板バネ１５６は、装飾リング５４Ｈの円周を２分するようにして配置されている。
【０１４１】
また、図２４に示すように、吊下げバー１５８は、例えば金属又は樹脂で形成されている。吊下げバー１５８は、略Ｌ字状の一対の支持部１５８ａ，１５８ｂと、一対の支持部１５８ａ，１５８ｂの各々の一端部を相互に接続するフック状の接続部１５８ｃとを有している。一対の支持部１５８ａ，１５８ｂの各々の他端部はそれぞれ、回動リング部材２４Ｈに形成された一対の連結部４８Ｈに回動自在に連結されている。接続部１５８ｃは、板バネ１５６を下方から抱えるようにして配置されている。これにより、板バネ１５６は、吊下げバー１５８によって上方に引っ張られることにより、上方に弓形状に撓むようになる。
【０１４２】
器具本体６Ｆの開口部１４からソケット１０Ｆまでの距離に応じて、板バネ１５６の撓み量を適宜調節することにより、回動リング部材２４Ｈから装飾部材２８Ｈまでの吊下げバー１５８及び板バネ１５６の合計長さを調節することができる。
【０１４３】
なお、実施の形態７と同様に、一対の支持部１５８ａ，１５８ｂの各々の他端部は回動リング部材２４Ｈに回動自在に連結されているので、ランプ２０が横向きの姿勢及び縦向きの姿勢のいずれの姿勢で配置されている場合であっても、装飾部材２８Ｈを回動リング部材２４Ｈから吊り下げることができる。
【０１４４】
［９−２．効果］
以上説明したように、実施の形態９に係る照明器具２Ｈでは、吊下げバー１５８及び板バネ１５６は、回動リング部材２４Ｈから装飾部材２８Ｈまでの吊下げバー１５８及び板バネ１５６の合計長さを調節可能に構成されている。
【０１４５】
この構成によれば、器具本体６Ｆの開口部１４からソケット１０Ｆまでの距離に応じて、吊下げバー１５８及び板バネ１５６の合計長さを調節することができる。
【０１４６】
（変形例等）
以上、本発明について実施の形態１〜９に基づいて説明したが、本発明は、上記各実施の形態に限定されるものではない。
【０１４７】
例えば、上記各実施の形態では、固定リング部材２２に切欠部４６を形成したが、回動リング部材２４（２４Ａ，２４Ｃ，２４Ｄ，２４Ｆ，２４Ｇ，２４Ｈ）に切欠部４６を形成してもよい。
【０１４８】
また、上記各実施の形態では、ＬＥＤモジュール３６の実装構造をＣＯＢ構造としたが、これに限定されず、例えばＬＥＤチップ４４がパッケージ化されたＬＥＤ素子を基板４２上に実装したＳＭＤ（Ｓｕｒｆａｃｅ  Ｍｏｕｎｔ  Ｄｅｖｉｃｅ）構造としてもよい。
【０１４９】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１５０】
２，２’，２Ｂ，２Ｃ，２Ｄ，２Ｅ，２Ｆ，２Ｆ’，２Ｇ，２Ｈ  照明器具
６，６Ｂ，６Ｃ，６Ｆ，６Ｆ’  器具本体
８，８Ｂ，８Ｃ，８Ｄ，８Ｅ，８Ｆ，８Ｇ，８Ｈ  照明ユニット
１０，１０Ｃ，１０Ｆ，１０Ｆ’  ソケット
１４  開口部
２０，２０Ｃ，７４  ランプ（照明部材）
２２  固定リング部材
２２ａ，２４ａ  開口縁部
２４，２４Ａ，２４Ｃ，２４Ｄ，２４Ｆ，２４Ｇ，２４Ｈ  回動リング部材
２６  ワイヤー（吊下部材）
２８，２８Ｂ，２８Ｆ，２８Ｇ，２８Ｈ  装飾部材
３０，１３４  筐体
３２，１３６  口金
３４，１３８  回路ユニット（駆動回路）
３６，１２６  ＬＥＤモジュール（光源）
３８  グローブ（透光カバー）
４６  切欠部
５４，５４Ｂ，５４Ｆ，５４Ｇ，５４Ｈ  装飾リング
５６，５６Ｂ  装飾カバー
７６  リング本体
７８  取付部材
１１６  第１のリング本体
１１８，１１８Ｄ  第２のリング本体
９８  ピン（規制機構）
１００  支持パネル
１０２  装飾パネル
１０８  突起（規制機構）
１２２  反射部
１２４  反射面
１２８  回路ボックス（照明部材）
１４０  吊下げバンド（吊下部材）
１５０  ボールチェーン（吊下部材）
１５８  吊下げバー（吊下部材）
１５６  板バネ（吊下部材）
Ｃ１  光軸
Ｃ２  中心軸
【図１】
0006548167.tif 000002
【図２】
0006548167.tif 000003
【図３】
0006548167.tif 000004
【図４】
0006548167.tif 000005
【図５】
0006548167.tif 000006
【図６】
0006548167.tif 000007
【図７】
0006548167.tif 000008
【図８】
0006548167.tif 000009
【図９】
0006548167.tif 000010
【図１０Ａ】
0006548167.tif 000011
【図１０Ｂ】
0006548167.tif 000012
【図１１Ａ】
0006548167.tif 000013
【図１１Ｂ】
0006548167.tif 000014
【図１２Ａ】
0006548167.tif 000015
【図１２Ｂ】
0006548167.tif 000016
【図１３】
0006548167.tif 000017
【図１４】
0006548167.tif 000018
【図１５】
0006548167.tif 000019
【図１６】
0006548167.tif 000020
【図１７】
0006548167.tif 000021
【図１８】
0006548167.tif 000022
【図１９】
0006548167.tif 000023
【図２０】
0006548167.tif 000024
【図２１】
0006548167.tif 000025
【図２２】
0006548167.tif 000026
【図２３】
0006548167.tif 000027
【図２４】
0006548167.tif 000028